(57)【要約】【課題】  この発明は、染毛者が自己の好みの染毛色を選択して染毛を行うに際して、選択した染毛色を髪色に関わりなく一定の色に仕上げることを可能とし、又頭髪の色と肌色とのマッチングを達成して、肌色と似合う色に仕上げることを可能とする。【解決手段】  頭髪の染毛に際して、先ず頭髪に下地色の染毛を行い、該下地色の上に仕上色の染毛を行うようにし、下地色を肌色と色相、トーンにおいて同系統の色、例えばブルーベースの肌色に対応する下地色をグレーのベースカラーとし、イエローベースの肌色に対応する下地色をブラウンのベースカラーとし、くすみを生じている肌色に対応する下地色を、ブラウンのベースカラーに赤みを加えた色としたことを特徴とする。【選択図】  図１
2005304637.tif 000002
【特許請求の範囲】
【請求項１】
頭髪の染毛に際して、先ず頭髪に下地色の染毛を行い、該下地色の上に仕上色の染毛を行うようにしたことを特徴とする染毛方法。
【請求項２】
下地色が、肌色と色相、明度において同系統の色としたを特徴とする請求項１記載の染毛方法。
【請求項３】
下地色が、明度の異なる複数の色から選択されることを特徴とする請求項１又は２記載の染毛方法。
【請求項４】
肌色をブルーベースとイエローベースに分類し、ブルーベースに対応する下地色をグレーのベースカラーとし、イエローベースに対応する下地色をブラウンのベースカラーとしたことを特徴とする請求項２又は３記載の染毛方法。
【請求項５】
くすみを生じている肌色に対応する下地色を、それぞれの肌色に対応するベースカラーに赤みを加えた色としたことを特徴とする請求項２乃至４のいずれかに記載の染毛方法。
【請求項６】
くすみを生じている肌色の下地色を、ブラウンのベースカラーに赤みを加えた色としたことを特徴とする請求項２又は３記載の染毛方法。
【請求項７】
肌色をブルーベースとイエローベースに分類し、ブルーベースに対応する下地色をグレーのベースカラーとし、イエローベースに対応する下地色をブラウンのベースカラーとし、肌色に対応する下地色で染毛した後、該下地色の上に所望の染毛色を染毛して、頭髪の色に影響されない仕上色を得るようにしたことを特徴とする染毛方法。
【請求項８】
肌色をブルーベースとイエローベースに分類し、ブルーベースに対応する下地色をグレーのベースカラーとし、イエローベースに対応する下地色をブラウンのベースカラーとし、肌色に対応する下地色で染毛した後、該下地色の上に特定の染毛色を染毛したときの仕上色を判別し、該判別される仕上色により所望の染毛色を選定するようにしたことを特徴とする染毛色の選定方法。
【請求項９】
肌色がくすみを有しているときの下地色をブラウンのベースカラーに赤みを加えた色の下地色としたことを特徴とする請求項７又は８記載の染毛方法、染毛色の選定方法。
【請求項１０】
明度の異なる複数の色から肌色に近似した下地色を選択し、該下地色の上に顧客の好みの色に近似する発色を示す染毛剤色を選択し、仕上色を決定するようにしたことを特徴とする請求項８又は９記載の染毛色の選定方法。
【請求項１１】
色見本に基づいて肌色に対応するベースカラーを特定するするベースカラー特定表と、所望の染毛色を選定するための複数の染毛色からなる染毛色表と、選定された染毛色の下地色に対応した実際の発色を示す仕上色を表示した仕上色表からなる染毛色選定用マップ。
【請求項１２】
肌色に基づくベースカラーの情報と、ベースカラーに対応する下地色の情報と、任意に選択される染毛色に対応する仕上色の情報をコンピュータに記録し、肌色に関する入力情報及び選択された染毛色情報に基づいて仕上色を演算し、任意の出力手段に出力するようにしたことを特徴とする染毛色選定方法。
【発明の詳細な説明】
【技術分野】
【０００１】
この発明は、頭髪を所望の色に染色する染毛方法、染毛色の選定方法並びに染毛色選定用マップに関する。
【背景技術】
【０００２】
従来、頭髪を所望の色に染色して、白髪を目立たなくさせたり、ヘアーにファッション効果を持たせるようにする頭髪の染毛方法は公知であり、種々の色彩、組成からなる染毛剤或いは染毛手段が開示され、実際に美容院等での専門的な染毛は勿論のこと、家庭における個人的な染毛においても広く利用されている。しかしながら、専門的、個人的いずれの染毛においても、染毛後の実際の髪色は染毛剤そのものが有する固有の色でのみ特定されるものではなく、染毛前の髪色にも大きく影響される。すなわち、同じ発色を示す染毛剤を使用しても、黒髪、茶髪、白髪、金髪、銀髪等で染毛後の実際の色は相違し、又先に染毛がされているか否か、或いは脱色されているか否かでも染毛色は異なってくる。
【０００３】
そこで、被験者の毛髪の画像をコンピュータに取り込み、該画像上において選択した染毛剤による染毛色をシミュレート若しくは染毛色と希望色のマッチングにより、所望の染毛色を選定若しくは確認可能とすると共に、所望の染毛色を得るための染毛剤を選択し得るようにした毛髪の染毛方法が、特開２００２−１５０３０７公報、特開２００３−２６３４９２公報等に開示されている。又、特開２００３−２４１３６公報には、肌色との関連で頭髪の染毛色を選定する方法が提案されている。特開２００１−２９９５３０公報には、鏡に色つきフィルターを添着して頭髪の反射画像により染毛色を確認する方法が提案されている。
【０００４】
しかしながら、これらの特許文献に開示された方法、手段はいずれも頭髪の髪色と染毛剤の色とを一対一の関係で処理し、染毛後の髪色を確認したり、肌色と似合うか否かの判断を行うようにしたものである。従って、染毛剤の色が実際にどのような色に発色するか、或はその染毛色が顧客に似合うか否かは、顧客個々の肌色や髪の色によって異なり、顧客毎に判定しなければならない不便さがあった。
【０００５】
【特許文献１】特開2001−299530
【特許文献２】特開2002−150307
【特許文献３】特開2003-24136
【特許文献４】特開2003-263492
【発明の開示】
【発明が解決しようとする課題】
【０００６】
この発明は、染毛者が自己の好みの染毛色を選択して染毛を行うに際して、選択した染毛色を髪色に関わりなく一定の色に仕上げることを可能とし、又頭髪の色と肌色とのマッチングを達成して、肌色と似合う色に仕上げることを可能とせんとするものである。
【課題を解決するための手段】
【０００７】
本発明は、頭髪の染毛に際して、先ず頭髪に下地色の染毛を行い、該下地色の上に仕上色の染毛を行うようにしたことを特徴とし、好ましくは下地色を、肌色と色相、明度（トーン）において同系統の色としたを特徴とする。下地色は、明度の異なる複数の色とし、肌色に応じて選択するようにしても良い。
【０００８】
肌色をブルーベースとイエローベースに分類し、ブルーベースに対応する下地色をグレーのベースカラーとし、イエローベースに対応する下地色をブラウンのベースカラーとしたことを特徴とし、くすみを生じている肌色に対応する下地色を、それぞれの肌色に対応するベースカラーに赤みを加えた色若しくはブラウンのベースカラーに赤みを加えた色としたことを特徴とする。
【０００９】
肌色をブルーベースとイエローベースに分類し、ブルーベースに対応する下地色をグレーのベースカラーとし、イエローベースに対応する下地色をブラウンのベースカラーとし、肌色に対応する下地色で染毛した後、該下地色の上に所望の染毛色で染毛して、頭髪の色に影響されない特定の仕上色を得るようにしたことを特徴とする。
【００１０】
肌色をブルーベースとイエローベースに分類し、ブルーベースに対応する下地色をグレーのベースカラーとし、イエローベースに対応する下地色をブラウンのベースカラーとし、肌色の対応する下地色で染毛した後、該下地色の上に特定の染毛色で染毛したときの仕上色を判別し、該判別される仕上色により所望の染毛色を選定するようにしたことを特徴とする。又、明度の異なる複数の色から肌色に近似した下地色を選択し、該下地色の上に顧客の好みの色に近似する発色を示す染毛剤色を選択し、仕上色を決定するようにしても良い。
【００１１】
色見本に基づいて肌色のベースカラーを特定するベースカラー特定表と、所望の染毛色を選定するための複数の染毛色からなる染毛色表と、選定された染毛色の下地色に対応した実際の発色を示す仕上色を表示した仕上色表からなるマップであることを特徴とする。
【００１２】
肌色に基づくベースカラーの情報と、ベースカラーに対応する下地色の情報と、任意に選択される染毛色に対応する仕上色の情報をコンピュータに記録し、肌色に関する入力情報及び選択された染毛色情報に基づいて仕上色を演算し、任意の出力手段に出力するようにしたことを特徴とする。
【発明の効果】
【００１３】
本発明によれば、染毛の仕上色を個々の髪の色に影響されることなく一定の色に仕上げることが出来、仕上色の選定、確認を容易に行い得ると共に、肌色に同化した染毛の仕上色を得ることが可能であるため、衣服の色やメーキャップの色をトータル的に表現することが容易となり、顧客個々のパーソナルカラーの提案が出来、色についての似合わせを配慮したトータルファッションを提案することが可能となる。
【発明を実施するための最良の形態】
【００１４】
この発明は、染毛者が頭髪を好みの色に染毛するに際して、先ず頭髪に下地色の染毛を行い、該下地色の上に仕上色の染毛を行うようにしたことを特徴とするものである。すなわち、この発明は、下地色と仕上色の２度の染毛を行うことを特徴としており、先ず頭髪を下地色で所定の色に染毛することにより、頭髪の色の相違による仕上色への影響を回避し、仕上色の色は頭髪の色に関わりなく下地色によって特定される色となり、実際の仕上色の確認を容易に行うことが可能となる。
【００１５】
下地色は、色相やトーンが肌色と同系統の色とするのが好ましい。又、仕上色は染毛者の好みの色とすることが出来る。下地色を、肌色と色相やトーンが同系統の色とすることにより、その上に施される仕上色も、下地色によってもたらされる色相やトーンと同系統の色となる。すなわち、肌色と色相やトーンが同系の下地色の上に仕上色を施すことにより、肌の色と頭髪の色の色相やトーンも同系統となり、同化してくるため、仕上色は肌色と同系統の色みとなる。このため、頭髪の色と肌色がマッチングし、仕上色を肌色に似合ったものとすることが出来る。又、下地色を施した上に仕上色を施すことにより、仕上色は下地色を前提とする色となり、頭髪の色に影響されなくなるため、仕上色を容易に判定することが出来る。従って、従来行っていたような頭髪の色が相違する毎に、仕上色を判定する必要がなくなる。又、このように仕上色が肌色と同系統の色となり、肌色とマッチングした色となるため、染毛者は仕上色に好みの色を選択することが出来、仕上色の選択の範囲が広がる。更に、染毛の仕上色と肌色のマッチングにより、洋服の色とのコーディネートも容易となり、トータルファッションを図ることができる。
【００１６】
下地色は、前述したように肌色と色相やトーンが同系統の色を選択するのが好ましい。アメリカのカラーコンサルタントであったフェーバー・ビレン（1900年〜1988年）の「なじみの原理」によれば、色相にはウォームカラー(黄み系の色による配色）とクールカラー（青み系の色による配色)があり、微妙な違いで区別することが出来るとされている。このような色相におけるなじみの原理を応用して、人の肌を色に関して、黒人を除く白人、黄色人種の肌の色を、ブルーをベースとする肌色と、イエローをベースとする肌色の２種類の肌色に大きく分類する考え方が提案されている。この発明は、かかる考えに基づいて人の肌の色をブルーベースとイエローベースに分類し、該分類されて２種類の肌色に対応して２種類の下地色を選定するようにした。選定される下地色は、例えばブルーベースの肌色の場合、グレーをベースとする色を選定し、イエローベースの肌色の場合は、ブラウンをベースとする色を選定した。尚、肌色のブルーベース若しくはイエローベースへの分類は、色見本カードを利用して容易に行い得る。図１はかかる肌色と下地色の関連を示すものである。
【００１７】
前述したように、白人及び黄色人種の肌の色は基本的にブルーベースとイエローベースの２色のカラーに分類可能であるが、肌の老化、血色不良、紫外線等に起因してくすみが生じている場合がある。このようなくすみを生じている肌色の場合には、肌色が悪く感得されるので、肌色を良く見せるような配慮が求められる。そこで、ブラウンベースのカラーに赤みを加えたレッドブラウンベースのカラーを下地色として選定した。尚、この場合、ブルーベースの肌色の場合の下地色であるグレーベースのカラーに赤みを加えたレッドグレーベースのカラーを選定することも可能であるが、実際には肌色を良く見せるためには、赤み色の方が適しているので、レッドブラウンのベースカラーでブルーベースの肌色の人にも十分に対応可能である。
【００１８】
仕上色は、染毛者の好みのカラーを選択することが可能である。好みに応じて選択される染毛色を、前記方法によって肌色に対応した下地色で染毛された頭髪に染毛する。染毛後の実際の仕上色は、下地色によって特定される一定の発色を示し、頭髪の色に左右されない。このため、肌色のベースカラーを色見本カードによって特定すれば、下地色が決定され、好みの染毛色に対応する実際の仕上色を容易に特定することが可能である。従って、図２に示すように、肌色、ベースカラー、好みの染毛色並びに実際の仕上色の関連をマップに作成して顧客に提示し、染毛を施した場合の最終的な仕上色を容易に確認することが可能となる。又、これらの肌色のベースカラーに対応する下地色の選定、該下地色上に選択された好みの染毛色に対応する仕上色等についての情報をコンピュータに記録しておくことにより、肌色のベースカラーを機械で判定して入力すれば、仕上色を演算してモニター等の所望の出力手段を介して顧客に提示することが出来る。
【００１９】
このように、下地色上に染毛された仕上色は、下地色によって特定される一定の色となるが、下地色が肌色のベースカラーと色相やトーンが同系であるためこの下地色の上に施された仕上色も肌色と色相やトーンが同系となり、肌の色と髪の色が同化する。この結果、衣服の色やメーキャップの色をトータル的に表現することが容易となり、顧客個々のパーソナルカラーの提案が出来、色についての似合わせを配慮したトータルファッションを提案することが可能となる。
【００２０】
以上の説明した実施の形態では、下地色を単一の明度の色としたが、図５に示すように異なった明度の複数の色から選択すようにしても良い。図５に実施形態では、明度の異なる７つの色が表示される。肌色のベースカラーの選択に際しては、その上に染毛される染毛剤色の発色が顧客の好みの色を参考にしつつ所定の明度の下地色を選択する。次に、実際の仕上色の決定に際しては、先ず、図３に示す肌色カラースケールディスクを用いて肌色の色相と明度(トーン)を決める。次に顧客に好みの色を図４のカラーチャートを用いて選んでもらう。顧客の好みの色の選択は、当該顧客が良く選ぶ洋服の色を基本とする。続いて、図３の肌色カラースケールで選定されたイエローベース若しくはブルーベース若しくはくすみの肌色の明度とマッチする(近似する)明度の下地色を選定する。この下地色の選定は、くすみのある肌の場合にも、図５に示す３種類のレッドブラウンベースのカラーチャートから所要の明度の下地色を決定する。最後に、図６の染毛剤色表から当該顧客の肌色に最も似合い且つ顧客の選択した好みの色の仕上色になるように染毛剤色を選択し、その染毛剤色を前記選択した下地色上に染毛したときの仕上色を顧客に示して、所望の仕上色を決定する。
【図面の簡単な説明】
【００２１】
【図１】肌色と下地色の関連を示す図
【図２】染毛色選定用マップを示す図
【図３】肌色のカラースケールディスク
【図４】顧客の好みの色のカラーチャート
【図５】３種類のカラーチャート
【図６】染毛剤色表
【図１】
2005304637.tif 000003
【図２】
2005304637.tif 000004
【図３】
2005304637.tif 000005
【図４】
2005304637.tif 000006
【図５】
2005304637.tif 000007
【図６】
2005304637.tif 000008